(57)【要約】  【課題】  吸着用素子と冷却用素子との間における伝熱性能を高めることで高水準の除湿能力を長期に亙って維持するようにした除湿素子、及びこの除湿素子に用いるに好適な吸着用素子を提供する。  【解決手段】  離間対向させた一対の平板状の平板材１２，１２の内側に多数の通風路３，３，・・を形成するとともに、該通風路３，３，・・の内面側に吸着剤を担持させてなる吸着用素子において、上記一対の平板材１２，１２を空気と水分を通す透過性素材で構成するとともに、該一対の平板材１２，１２の外側面１２ａ，１２ａのそれぞれに、又は何れか一方の平板材１２の外側面１２ａに、防水手段１４を設ける。係る構成とすることで、通風路３，３，・・の内面は通気性をもつ吸着剤層とされ、該通風路３，３，・・内を流れる被処理空気Ａａは該吸着剤層の内部まで容易に侵入しその水分の吸着除去作用が効率良く行われ、高い吸着性能を発揮することになる。【選択図】        図１
2005040795.tif 000002
【特許請求の範囲】
【請求項１】
離間対向させた一対の平板状の平板材（１２），（１２）の内側に多数の通風路（３），（３），・・を形成するとともに、該通風路（３），（３），・・の内面側に吸着剤を担持させてなる吸着用素子であって、
上記一対の平板材（１２），（１２）を空気と水分を通す透過性素材で構成するとともに、
該一対の平板材（１２），（１２）の外側面（１２ａ），（１２ａ）のそれぞれに、又は何れか一方の平板材（１２）の外側面（１２ａ）に、防水手段（１４）を設けたことを特徴とする吸着用素子。
【請求項２】
平板状の平板材（１２）の内側面（１２ｂ）に多数の通風路（３），（３），・・を形成するとともに、該通風路（３），（３），・・の内面側に吸着剤を担持させてなる吸着用素子であって、
上記平板材（１２）を空気と水分を通す透過性素材で構成するとともに、
該平板材（１２）の外側面（１２ａ）に防水手段（１４）を設けたことを特徴とする吸着用素子。
【請求項３】
請求項１又は２において、
上記平板材（１２）を構成する上記透過性素材として、セラミック繊維紙又はガラス繊維紙又は難燃紙又は不織布を用いたことを特徴とする吸着用素子。
【請求項４】
請求項１又は２において、
上記防水手段（１４）を、上記平板材（１２）の外側面（１２ａ）にプラスチックフィルムを貼着して、又は該外側面（１２ａ）に有機バインダーを塗布して、又は該外側面（１２ａ）に金属材を蒸着して、構成したことを特徴とする吸着用素子。
【請求項５】
請求項１又は２において、
上記防水手段（１４）を、上記平板材（１２）の外側面（１２ａ）のうち、該外側面（１２ａ）に相対する冷却用素子（２）の非防水構造部分に対応する範囲のみに部分的に設けたことを特徴とする吸着用素子。
【発明の詳細な説明】
【技術分野】
【０００１】
本願発明は、本願発明は、吸着剤の吸着作用を利用して湿り空気の除湿を行うようにした除湿素子、及びこの除湿素子に用いられる吸着用素子に関するものである。
【背景技術】
【０００２】
従来から、吸着剤の吸着作用を利用した除湿素子が知られており、図６及び図７には、かかる除湿素子の従来の構造例を示している。
【０００３】
この従来の除湿素子Ｚ０は、多数の通風路３５，３５，・・を備えるとともに該通風路３５の内面には吸着剤が担持された吸着用素子３１と、多数の通風路４５，４５，・・を備えた冷却用素子４１とを、該各通風路３５と該通風路４５とが相互に略直交するように９０°の平面位相をもって順次積層して構成される。
【０００４】
そして、この除湿素子Ｚ０においては、上記各吸着用素子３１，３１，・・の各通風路３５，３５，・・に湿り空気（即ち、被処理空気）を流通させる一方、上記各冷却用素子４１，４１，・・の上記各通風路４５，４５，・・には冷却用空気を流通させ、上記吸着用素子３１側では上記通風路３５の壁面に担持された吸着剤によって湿り空気の水分を吸着除去してこれを低湿度空気とする一方、該吸着用素子３１側での水分の吸着により発生する吸着熱を上記冷却用素子４１の通風路４５を流通する冷却用空気との熱交換によって吸収し、これによって上記吸着剤の吸着能を長期に亙って良好に維持するものである。
【０００５】
ところで、図６及び図７に示すように、従来の除湿素子Ｚ０においては、これを構成する上記吸着用素子３１と冷却用素子４１のうち、上記吸着用素子３１は、これを波板状に屈曲する通風路形成材３２と該通風路形成材３２の両面に固着された平板状の一対の平板材３３，３３とで構成する。そして、この通風路形成材３２と平板材３３は、共にセラミック繊維を素材とした繊維紙によって構成され、且つその表面にはそれぞれシリカゲル等の吸着剤が担持されている。
【０００６】
一方、上記冷却用素子４１は、波板状に屈曲する通風路形成材４２と該通風路形成材４２の両面に固着された平板状の一対の平板材４３，４３とで構成される。この通風路形成材４２と平板材４３は、共に金属薄板、例えばアルミ薄板で形成されている。
（例えば、特許文献１、特許文献２参照）。
【０００７】
【特許文献１】特開平９−３２７９６号公報（段落「００１７」〜「００２０」、図１）
【特許文献２】特開平６−１２９３９６号公報（段落「０００９」、図１）
【発明の開示】
【発明が解決しようとする課題】
【０００８】
ところで、上記吸着用素子３１と冷却用素子４１とを順次交互に積層して除湿素子Ｚ０を構成した場合、図７に示すように、上記吸着用素子３１側の通風路３５と上記冷却用素子４１側の通風路４５とは、上記吸着用素子３１側の一方の平板材３３と上記冷却用素子４１側の一方の平板材４３とが衝合した二枚合わせの壁部を介して隣設している。従って、上記吸着用素子３１の通風路３５側の湿り空気と上記冷却用素子４１の通風路４５側の冷却用空気との間の熱交換、即ち、上記吸着用素子３１側から上記冷却用素子４１側への熱伝達は、常に、該各平板材３３，４３でなる二枚合わせの壁部を介して行われることになる。
【０００９】
この結果、上記吸着用素子３１と上記冷却用素子４１との間での熱伝達時の伝熱抵抗が大きく、このため冷却用空気による吸着熱の除去能力が低下し、延いては除湿素子の除湿能力の低下を招来し、従って除湿素子の能力維持という点において改善の余地を有するものであった。
【００１０】
そこで本願発明では、吸着用素子と冷却用素子との間における伝熱性能を高めることで高水準の除湿能力を長期に亙って維持するようにした除湿素子、及びこの除湿素子に用いるに好適な吸着用素子を提供することを目的としてなされたものである。
【課題を解決するための手段】
【００１１】
本願発明ではかかる課題を解決するための具体的手段として次のような構成を採用している。
【００１２】
本願の第１の発明では、離間対向させた一対の平板状の平板材１２，１２の内側に多数の通風路３，３，・・を形成するとともに、該通風路３，３，・・の内面側に吸着剤を担持させてなる吸着用素子において、上記一対の平板材１２，１２を空気と水分を通す透過性素材で構成するとともに、該一対の平板材１２，１２の外側面１２ａ，１２ａのそれぞれに、又は何れか一方の平板材１２の外側面１２ａに、防水手段１４を設けたことを特徴としている。
【００１３】
本願の第２の発明では、平板状の平板材１２の内側面１２ｂに多数の通風路３，３，・・を形成するとともに、該通風路３，３，・・の内面側に吸着剤を担持させてなる吸着用素子において、上記平板材１２を空気と水分を通す透過性素材で構成するとともに、該平板材１２の外側面１２ａに防水手段１４を設けたことを特徴としている。
【００１４】
本願の第３の発明では、上記第１又は第２の発明にかかる吸着用素子において、上記平板材１２を構成する上記透過性素材として、セラミック繊維紙又はガラス繊維紙又は難燃紙又は不織布を用いたことを特徴としている。
【００１５】
本願の第４の発明では、上記第１又は第２の発明にかかる吸着用素子において、上記防水手段１４を、上記平板材１２の外側面１２ａにプラスチックフィルムを貼着して、又は該外側面１２ａに有機バインダーを塗布して、又は該外側面１２ａに金属材を蒸着して、構成したことを特徴としている。
【００１６】
本願の第５の発明では、上記第１又は第２の発明にかかる吸着用素子において、上記防水手段１４を、上記平板材１２の外側面１２ａのうち、該外側面１２ａに相対する冷却用素子２の非防水構造部分に対応する範囲のみに部分的に設けたことを特徴としている。
【発明の効果】
【００１７】
本願発明ではかかる構成とすることにより次のような効果が得られる。
（イ）  本願の第１の発明にかかる吸着用素子では、離間対向させた一対の平板状の平板材１２，１２の内側に多数の通風路３，３，・・を形成するとともに、該通風路３，３，・・の内面側に吸着剤を担持させてなる吸着用素子において、上記一対の平板材１２，１２を空気と水分を通す透過性素材で構成するとともに、該一対の平板材１２，１２の外側面１２ａ，１２ａのそれぞれに、又は何れか一方の平板材１２の外側面１２ａに、防水手段１４を設けている。
【００１８】
従って、この発明にかかる吸着用素子においては、上記一対の平板材１２，１２を透過性素材で構成するとともにこれら各平板材１２，１２の内側に形成される上記通風路３，３，・・の内面側に吸着剤を担持させているので、該通風路３，３，・・の内面は通気性をもつ吸着剤層とされ、該通風路３，３，・・内を流れる被処理空気Ａａは該吸着剤層の内部まで容易に侵入しその水分の吸着除去作用が効率良く行われ、高い吸着性能を発揮することになる。
【００１９】
一方、上記一対の平板材１２，１２を透過性素材で構成したことにより、吸着用素子の両側面にそれぞれ冷却用素子を相対させて除湿素子を構成する場合には、該吸着用素子側から該冷却用素子側へ水分が移動し該冷却用素子の冷却能力、延いては吸着用素子の吸着性能の低下を招来する虞れがある。ところが、この発明の吸着用素子においては、上記一対の平板材１２，１２の外側面１２ａ，１２ａのそれぞれに、又は何れか一方の平板材１２の外側面１２ａに、防水手段１４を設けているので、例えば、
（ａ）上記外側面１２ａ，１２ａのそれぞれに上記防水手段１４を設けたものにあっては、例え該外側面１２ａ，１２ａに相対する各冷却用素子が防水構造をもたない構成であったとしても、上記防水手段１４によってこれら両者間におけるシール性が確保され、
（ｂ）上記外側面１２ａ，１２ａの何れか一方に上記防水手段１４を設けたものにあっては、該防水手段１４が設けられた側の外側面１２ａに相対する冷却用素子が防水構造をもたない構成であったとしても、上記防水手段１４によってこれら両者間におけるシール性が確保され、
その結果、高い吸着性能が得られることになる。
【００２０】
また、このように吸着用素子の一対の平板材１２，１２の外側面１２ａ，１２ａの双方に、又は何れか一方に上記防水手段１４が設けられ、これによって該吸着用素子に相対する冷却用素子との間のシール性が確保されるということは、これを逆言すれば、該防水手段１４が設けられた外側面１２ａに相対する冷却用素子側においては防水構造を備える必要がない、ということに外ならず、この結果、上記冷却用素子側においては、例えばその側面部材の一部あるいはその大部分を削除して該冷却用素子側を流れる冷却用空気Ａｂを直接上記吸着用素子の平板材１２に接触させてこれら両者間の熱伝達効率をより一層高めることで、該吸着用素子の吸着性能の更なる向上が期待できる。
【００２１】
（ロ）  本願の第２の発明にかかる吸着用素子では、平板状の平板材１２の内側面１２ｂ側に多数の通風路３，３，・・を形成するとともに、該通風路３，３，・・の内面側に吸着剤を担持させてなる吸着用素子において、上記平板材１２を空気と水分を通す透過性素材で構成するとともに、該平板材１２の外側面１２ａに防水手段１４を設けている。
【００２２】
従って、この発明にかかる吸着用素子においては、上記平板材１２を透過性素材で構成するとともにこの平板材１２の内側面１２ｂ側に形成される上記通風路３，３，・・の内面側に吸着剤を担持させているので、該通風路３，３，・・内を流れる被処理空気Ａａが吸着剤層の内部まで容易に侵入しその水分の吸着除去作用が促進され、高い吸着性能をもつことになる。
【００２３】
一方、上記平板材１２を透過性素材で構成したことにより、吸着用素子の両側面にそれぞれ冷却用素子を相対させて除湿素子を構成する場合には、該吸着用素子側から該冷却用素子側への水分が移動し該冷却用素子の冷却能力、延いては吸着用素子の吸着性能の低下を招来する虞れがある。ところが、この発明の吸着用素子においては、上記平板材１２の外側面１２ａに上記防水手段１４を設けているので、例えば、該防水手段１４が設けられた上記外側面１２ａ側においてはこれに相対する冷却用素子が防水構造をもたない構成であったとしても、上記防水手段１４によってこれら両者間におけるシール性が確保されるので、吸着用素子は高い吸着性能を保有することになる。
【００２４】
また、このように吸着用素子の平板材１２の外側面１２ａに上記防水手段１４が設けられ、これによって該吸着用素子に相対する冷却用素子との間のシール性が確保されるということは、これを逆言すれば、該防水手段１４が設けられた外側面１２ａに相対する冷却用素子側においては防水構造を備える必要がない、ということに外ならず、この結果、上記冷却用素子側においては、例えばその側面部材の一部あるいはその大部分を削除して該冷却用素子側を流れる冷却用空気Ａｂを直接上記吸着用素子の平板材１２に接触させてこれら両者間の熱伝達効率をより一層高めることで、該吸着用素子の吸着性能の更なる向上が期待できる。
【００２５】
（ハ）  本願の第３の発明にかかる吸着用素子によれば、上記（イ）又は（ロ）に記載の効果に加えて次のような特有の効果が得られる。即ち、この発明では、上記平板材１２を構成する上記透過性素材として、セラミック繊維紙又はガラス繊維紙又は難燃紙又は不織布を用いているので、例えば、これを樹脂板とか金属板で構成する場合に比して、その軽量化及び低コスト化が図れるとともに、特にセラミック繊維紙又はガラス繊維紙を用いた場合にはその難燃性によって使用上の信頼性が高められ、また難燃紙又は不織布を用いた場合には更なる低コスト化が図れるものである。
【００２６】
（ハ）  本願の第４の発明にかかる吸着用素子によれば、上記（イ）又は（ロ）に記載の効果に加えて次のような特有の効果が得られる。即ち、この発明では、上記防水手段１４を、上記平板材１２の外側面１２ａにプラスチックフィルムを貼着して、又は該外側面１２ａに有機バインダーを塗布して、又は該外側面１２ａに金属材を蒸着して、構成しているので、これら何れの構成による防水手段１４もその厚さを極めて薄く且つ容易に形成することができ、その結果、例えば上記防水手段１４として樹脂板とか金属板を用いる場合に比して、吸着用素子の薄肉化と軽量化、及び低コスト化が図れるものである。
【００２７】
また、これら何れの構成による防水手段１４においても、その形成手法上、上記平板材１２の外側面１２ａの任意の部位に、且つ任意の範囲に部分的に設けることが容易であることから、例えば吸着用素子に相対される冷却用素子側の構造（例えば、冷却用素子の側面における防水構造の有無、あるいは該側面における防水構造部分の位置と範囲等）に応じて、上記防水手段１４の形成位置あるいは範囲を設定することが可能である。この結果、例えば、上記防水手段１４の形成範囲を必要最小限に止めて、吸着用素子と冷却用素子との間の伝熱効率の更なる向上と、より一層の低コスト化を図ることが可能となる。
【００２８】
（ニ）  本願の第５の発明にかかる吸着用素子によれば、上記（イ）又は（ロ）に記載の効果に加えて次のような特有の効果が得られる。即ち、この発明では、上記防水手段１４を、上記平板材１２の外側面１２ａのうち、該外側面１２ａに相対する冷却用素子２の非防水構造部分に対応する範囲のみに部分的に設けているので、例えば上記防水手段１４を上記平板材１２の外側面１２ａの全域に設けた場合に比して、該防水手段１４の形成範囲が少ない分だけ吸着用素子の低コスト化が図れるとともに、該防水手段１４を設けた部分においては冷却用素子側の冷却用空気Ａｂが直接上記平板材１２に接触することから、吸着用素子と冷却用素子との間における伝熱効率が向上し、それだけ吸着用素子における吸着性能の更なる向上が期待できることになる。
【発明の実施の形態】
【００２９】
以下、本願発明にかかる除湿素子及びこれに用いるに好適な吸着用素子をそれぞれ実施形態に基づいて具体的に説明する。
【００３０】
Ａ：除湿素子について
Ｉ：第１の実施形態
図１〜図３には、本願発明の第１の実施形態にかかる除湿素子Ｚを示している。この除湿素子Ｚは、図１に示すように、複数個の吸着用素子１，１，・・と複数個の冷却用素子２，２，・・とを、９０°の平面位相をもって順次交互に積層するとともに、この積層体を、図３に示すように、その積層方向両端部にそれぞれ端板９，９を装着するとともにこれら端板９，９を積層体の四隅に沿って配置される四本の枠材１０，１０，・・によって連結し、これらを一体化して構成される。以下、上記吸着用素子１と冷却用素子２とについて、それぞれその具体的構成を説明する。
【００３１】
上記吸着用素子１は、図１及び図２（尚、図２においては、説明の便宜上、上記冷却用素子２の平面位相を９０°ずらせて上記吸着用素子１と同じ平面位相として図示している。以下、他の実施形態における図５、図７、図９、図１１、図１４においても同様である）に示すように、次述の通風路形成材１１と一対の平板材１２，１２とで構成された両面段ボール状の形態を有している。
【００３２】
即ち、上記通風路形成材１１は、透過性素材で構成することを基本としており、この実施形態ではこれをセラミック繊維紙、又はガラス繊維紙、又は難燃紙、又は不織布を用いて構成し、且つこれをその厚さ方向に交互に折曲させ、全体として波板状の形態に成形している。
【００３３】
上記一対の平板材１２，１２は、上記通風路形成材１１と同様に、透過性素材で構成することを基本としており、この実施形態ではセラミック繊維紙、又はガラス繊維紙、又は難燃紙、又は不織布を用いて、これを平板状に形成している。
【００３４】
このように構成された上記通風路形成材１１と一対の平板材１２，１２とは、該通風路形成材１１を上記一対の平板材１２，１２によってその板厚方向両側から挟むようにして接合固定して一体化される。この通風路形成材１１と一対の平板材１２，１２の一体化状態においては、該通風路形成材１１の各谷部のそれぞれと、これに対向する上記一対の平板材１２，１２の内側面１２ｂ，２ｂとによって、平行に延びる多数の通風路３，３，・・が形成されている。
【００３５】
このように一体化された上記通風路形成材１１と一対の平板材１２，１２には、例えば浸漬法等によってシリカゲル等の適宜の吸着剤を担持させ、所要の吸着性能を付与している。
【００３６】
また、上記一対の平板材１２，１２の外側面１２ａ，２ａには、それぞれ分離シート層１４，１４（特許請求の範囲中の「防水手段１４」に該当する）が設けられている。この分離シート層１４は、上記吸着用素子１の両側面にそれぞれ冷却用素子２を相対させて除湿素子を構成した場合においてこれら両者間のシール性を確保するためのものであって、この実施形態では、上記平板材１２の外側面１２ａにプラスチックフィルムを貼着するとか、該外側面１２ａに水系ウレタン樹脂等の有機バインダーを塗布するとか、該外側面１２ａにアルミニュムとか銅等の熱伝導率の高い金属材を蒸着する、等の方法によって該分離シート層１４を形成している。
【００３７】
以上のように、この実施形態の吸着用素子１は、両面段ボール状に一体化された上記通風路形成材１１と一対の平板材１２，１２に吸着剤を担持させるとともに、該一対の平板材１２，１２の外側面１２ａ，１２ａに上記分離シート層１４，１４を形成して得られるものであり、かかる構成とすることで以下のような特有の作用効果が得られるものである。
【００３８】
即ち、この実施形態の吸着用素子１においては、上記通風路形成材１１及び上記一対の平板材１２，１２を、共に透過性素材であるセラミック繊維紙又はガラス繊維紙又は難燃紙又は不織布を用いて構成し、且つこれに吸着剤を担持させているので、上記通風路３，３，・・の内面は通気性をもつ吸着剤層とされる。従って、上記通風路３，３，・・内を被処理空気Ａａが流れる場合、該被処理空気Ａａは上記吸着剤層の内部まで容易に侵入し、その水分の吸着除去作用が効率良く行われ、この結果、上記吸着用素子１は高い吸着性能を発揮することになる。
【００３９】
また、このように上記通風路形成材１１と一対の平板材１２，１２を共に、セラミック繊維紙又はガラス繊維紙又は難燃紙又は不織布を用いて構成したことで、例えば、これらを樹脂板とか金属板で構成する場合に比して、その軽量化及び低コスト化が図られることは勿論のこと、これに加えて、特にセラミック繊維紙又はガラス繊維紙を用いた場合にはその難燃性によって使用上の信頼性が高められ、また難燃紙又は不織布を用いた場合には更なる低コスト化が図れるという利点もある。
【００４０】
一方、この実施形態の吸着用素子１では、上記一対の平板材１２，１２の外側面１２ａ，１２ａのそれぞれに上記分離シート層１４を設けているので、例え該外側面１２ａ，１２ａにそれぞれ相対する冷却用素子２，２が防水構造をもたない構成とされている場合であったとしても、該分離シート層１４によって冷却用素子２との間におけるシール性が確保され、該吸着用素子１は高い吸着性能を発揮することになる。
【００４１】
また、このように吸着用素子１の一対の平板材１２，１２の外側面１２ａ，１２ａの双方にそれぞれ上記分離シート層１４，１４が設けられ、これによって該吸着用素子１に相対する冷却用素子２との間のシール性が確保されるということは、これを逆言すれば、この分離シート層１４が設けられた外側面１２ａに相対する冷却用素子２側においては防水構造を備える必要がない、ということである。従って、例えば上記冷却用素子２側においては、その側面部材の一部あるいはその大部分を削除して該冷却用素子２側を流れる冷却用空気Ａｂを直接上記吸着用素子１の平板材１２に接触させてこれら両者間の熱伝達効率をより一層高めることもでき、それだけ吸着用素子１の吸着性能の更なる向上が期待できるものである。
【００４２】
ＩＩ：第２の実施形態
図４には、本願発明の第２の実施形態にかかる吸着用素子１を示している。この吸着用素子１は、例えば一方の側面のみに防水構造を備えた冷却用素子に相対されてこれとともに除湿素子を構成するに好適な構造をもつ吸着用素子であって、通風路形成材１１と一対の平板材１２，１２とで構成された両面段ボール状の形態を有している。
【００４３】
即ち、この実施形態の吸着用素子１は、上記第１の実施形態にかかる吸着用素子１と基本構成を同じとするものであって、これと異なる点は、該第の実施形態の吸着用素子１では一対の平板材１２，１２の外側面１２ａ，１２ａの双方にそれぞれ分離シート層１４を設けていたのに対して、この実施形態の吸着用素子１では一対の平板材１２，１２の外側面１２ａ，１２ａのうち、何れか一方側のみに上記分離シート層１４を設け、他方の外側面１２ａはこれをそのまま露出させたものである。
【００４４】
従って、この実施形態の吸着用素子１は、例えば、上記分離シート層１４が設けられた側の平板材１２を、上記冷却用素子２の防水構造が設けられていない面に相対させ、また上記分離シート層１４が設けられていない側の平板材１２を、上記冷却用素子２の防水構造が設けられている面に相対させることで、該吸着用素子１の一方の側面においては上記分離シート層１４によって、他方の側面においては上記冷却用素子２の平板材２２によって、それぞれシール性が確保され、上記第１の実施形態の吸着用素子１と同様の作用効果が得られるものである。
【００４５】
尚、上記通風路形成材１１及び平板材１２の素材構成、及び上記分離シート層１４の構造は上記第１の実施形態の場合と同様であるので、ここでの説明は省略する。
【００４６】
ＩＩＩ：第３の実施形態
図５には、本願発明の第３の実施形態にかかる吸着用素子１を示している。この吸着用素子１はその両側面のうち、一方の側面のみに防水構造を備えた冷却用素子に相対されてこれとともに除湿素子を構成するに好適な構造をもつ吸着用素子であって、しかも上記第８の実施形態の吸着用素子１の場合よりもさらに高い伝熱効率を確保するに好適な吸着用素子１である。
【００４７】
即ち、この実施形態の吸着用素子１は、通風路形成材１１とその一方の側面に設けられた一枚の平板材１２とでなる片面ダンボール状の形態をもち、且つ該平板材１２の外側面１２ａに上記分離シート層１４を設けたものである。
【００４８】
従って、この実施形態の吸着用素子１は、例えば、上記分離シート層１４が設けられた平板材１２を、上記冷却用素子２の防水構造が設けられていない面に相対させ、また上記分離シート層１４が設けられていない側の平板材１２を、上記冷却用素子２の防水構造が設けられている面に相対させることで、該吸着用素子１の一方の側面においては上記分離シート層１４によって、他方の側面においては上記冷却用素子２の平板材２２によって、それぞれシール性が確保され、上記第７の実施形態の吸着用素子１と同様の作用効果が得られるものである。そして、上記吸着用素子１の上記平板材１２が設けられていない側においては、通風路３内を流れる被処理空気Ａａが直接上記冷却用素子２と接触することから、上記第８の実施形態の吸着用素子１のように上記平板材１２を介して上記冷却用素子２と接触する構成の場合よりもさらに高い伝熱効率が確保されるものである。
【００４９】
尚、上記通風路形成材１１及び平板材１２の素材構成、及び上記分離シート層１４の構造は上記第１の実施形態の場合と同様であるので、ここでの説明は省略する。
【図面の簡単な説明】
【００５０】
【図１】本願発明の第１の実施形態に係る除湿素子を示す要部分解斜視図である。
【図２】図１に示した除湿素子の要部拡大縦断面図である。
【図３】図１に示した除湿素子の外観斜視図である。
【図４】本願発明の第２の実施形態に係る吸着用素子の要部拡大縦断面図である。
【図５】本願発明の第３の実施形態に係る吸着用素子の要部拡大縦断面図である。
【図６】従来の除湿素子の要部分解斜視図である。
【図７】図６に示した除湿素子の要部拡大縦断面図である。
【符号の説明】
【００５１】
１      ・・・吸着用素子
２      ・・・冷却用素子
３      ・・・第１通風路
４      ・・・第２通風路
９      ・・・端板
１０    ・・・枠材
１１    ・・・通風路形成材
１２    ・・・平板材
１４    ・・・分離シート
１６    ・・・平板材
１８    ・・・吸着剤層
２１    ・・・通風路形成材
２２    ・・・平板材
２３    ・・・隔壁材
Ａａ    ・・・被処理空気
Ａｂ    ・・・冷却用空気
Ｚ      ・・・除湿素子
【図１】
2005040795.tif 000003
【図２】
2005040795.tif 000004
【図３】
2005040795.tif 000005
【図４】
2005040795.tif 000006
【図５】
2005040795.tif 000007
【図６】
2005040795.tif 000008
【図７】
2005040795.tif 000009